(57)【要約】【課題】階段において、段差を半分にして、しかも通常の階段を状態で階段の上り降りが、出来ることを目的とする。【解決手段】階段をいわば縦方向に切り取り、切り取った階段の正面から見て、縦方向に踏面１の長さの約半分を前にずらし、蹴上２の高さの約半分を下にずらす。  また、踏面の長さの約半分を後ろにずらした場合は、蹴上２の高さの約半分を上にずらす。この場合には、もう一段階段が前方にあることにする。  そして、切り取った階段を再び接合したような形を取るようにする。【選択図】図１
2005076432.tif 000002
【特許請求の範囲】
【請求項１】
下記請求項の階段は、上下に一段階段が連続しているのと仮定する。
仮定した階段の延長については、不要なったと仮定した場合には、消滅していると仮定する。
階段の踏面１の任意の場所（複数もあり得る）の縦方向に踏面の約半分を階段の正面から見て、前にずらす。
同時に、上記の場所について、蹴上２の長さの約半分を垂直方向に下げる。
階段の踏面１の任意の場所（複数もあり得る）の縦方向に踏面の約半分を階段正面から見て、後ろにずらす。
同時に、上記の場所について、蹴上２の長さの約半分を垂直方向に上げる。
あるいは、相対的なものなので、上記の行為をおこなった隣の階段の箇所について、逆方向に踏面、蹴上２の長さの約半分を上記と反対方向にずらし、反対方向に上下させる。
上記ずらした部分については、再びつなぎ合わせたような構造とする。
既設の階段については、上記の階段と同様の構造とするために、踏面の高さを調節する行為と共に蹴上の長さを調節する両方の行為。
【発明の詳細な説明】
【発明の詳細な説明】
【技術分野】
【０００１】  本発明は、すべての種類の階段の段差に関するものである。
【背景技術】
【０００２】  従来、同種の発明については、特許公開２００２−３２７５２１及び２００２−２０１７７８がある。
これらについては、基本的には階段の一部の踏面を蹴上げの約半分の高さに嵩上げしたものである。
しかし、これらの方法は、本発明に比べて、次のような欠点が指摘される。
図２で説明すると、ここで低い段差をばかり利用とすると、Ａ――Ｂ――Ｃ――Ｄ――Ｅ――Ｆ――Ｇ――Ｈ・・・・と記号で書かれた順序となる。
Ａ――Ｂ等は、単に横に移動するのみで、前へは進まない。また、Ａ，ＢおよＢ，Ｃ・・・で足を揃える必要がある。
ここで、ＢかＣの左右の足を踏み出すのだが、慣れないと、どちらの足から踏み出してよいのか戸惑う可能性もある。
次にＢかＣの足を出して、Ｄに進み、ここで、やっと、通常の階段の一歩を進めることになる。つまり足の上下運動ばかりが多くて効率が悪い。
また、危険な場所も想定出来る。例えばＸ、Ｘ’点５等、ここで足を滑らせると、通常の階段の蹴上げ１段の１．５倍の落差を落ちる可能性がある。
【発明が解決しようとする課題】
【０００３】  現在階段は、建築物の高層化、道路、駅等の歩道橋、また寺院、神社と、地上いたるところにある。
しかし、足が不自由なお年寄り、あるいは足の不自由な人、怪我をして足が不自由になった人については、（以下お年寄りと言う）通常の階段の段差は一定であり、この階段の段差の高さが障害となり、階段も登るとき、下りるときに、不自由が付きまとっていた。
これらの解消については、前述した特許申請があるが、いまだ、実現化はなされていない。
この人達のために、エスカレーター、エレベーターが階段の代わりをなすようになり、かなりこのような不便は感じなくなった所もある。
【０００４】  しかし、これらは、元気な比較的若い人々が多く、またかなり多数の人が利用する主として人通りの多い市街地に限定されている。
しかし、これらの機械設備の整った年寄り等が居住する人口密度の低い田舎においては、ほとんどこのような設備は無いのが事実である。
また、お年寄り等が多く利用する神社、寺院、名所、旧跡においては、その自然条件から、ここに設置されている階段の段差は高いものが多い。
また、今後それほど所得に恵まれていないお年寄り等においては、エレベーター等の設備の無い２〜５階建のアパートの２階以上の部分に住むことを余儀なくされる場合が多く出ている。
【０００５】  また、個人住宅については、バリファリーの解消が進んでおり、一寸した段差を取り除かれようとしている。
しかし、これは、老人等が気がつかないちょっとした段差をなくすための手段である。
お年寄り等が、登らなければならない階段を目指す場合とは、また、違う行為である。
やはり、こういった場合は、お年寄り等が階段を登るという意識を付けてもらえれば、階段を登ることはまた別の意味では可能である。
また、バリファリーの解消自体は今後のお年寄り等については、大いに歓迎されるものであるが、かえって、通常の行動の制約であり、身体の機能自体を制限する行為となる場合も考えられる。
【課題を解決するための手段】
【０００６】  階段の一部、あるいは何箇所にいって、いわば階段を縦方向に切り取ってようにして、踏面１の縦方向の長さの約半分を水平方向にずらす。
同時に、蹴上２の長さの約半分を階段の正面から見て、前にずらした部分については、蹴上２の高さの半分を上げる。
逆に、後ろにずらした場合は、蹴上２の半分の高さに下げる。
そして、これをつなぎ合わせたようにする。
あるいは、既設の階段においては、上記にのべたような構造をもつ階段に加工する。
【発明を実施するための最良の形態】
【０００７】  発明の実施の形態を実施例にもとづき図面を参照に説明する。
【図１】
の実施例は、上述の請求項１に基づいたものであり、お年寄り等は、図１で示すように、Ａ―――Ｂ―――Ｃ―――Ｄ――Ｅ―――・・・と進んで行くことが出来、足は交互に動き、極自然な歩みかたである。
また、当然階段の段差は、通常の階段の半分ですむ。
また、踏面の大きさも以前の階段と変わらない。
【０００８】
【図３】
は、やや簡略化した図であり、本発明の可能性を示したものである。
図は本発明の階段の隣り合っいるを階段の縦に切り取った断面を比較したものである。
隣り合った両方の階段については、相対的なものである。したがって、どちらの方を縦横に動かしたとは問題とはならない。
図３では、段差が５０ｃｍ程度の階段を表している。しかし、段差が５０ｃｍのａ〜ｂ間（上部も同じ）となると通常は、登れない段差である。
しかし、本発明を利用すると、段差が約２５ｃｍとなり容易に登ることが出来る。勿論、段差は急勾配であり、手すり等、他の安全施設を設ける必要はある。
【０００９】  また、図には示さなかったが、通常の２階建ての木造の住宅の階段においてこの種の階段は、容易に構築できる。
また、既存のこの主の木造の階段については、本発明の階段に容易に改造できる。
【００１０】
【図４】
は、別の実施形態でかなり大きな建物に、本発明を摘要したものである。
この階段においては、両脇から、二つ目の階段、および中央の２列に本発明を摘要したものである。
また、両脇と、中央部には、それぞれ手すりが置かれている。
このように、本発明の形態は、大小さまざまな階段に摘要できる。
また、デザイン的な方面からも、おもしろいものが造られる。
そして、縦方向については、機能的には、直線が望ましが、デザイン的な方面を重視するならば、かならしも直線ではなく、曲線でもよい。
また、当然、長い階段によっては、段差の高い部分のみ、本発明のこの階段を摘要しても良い。
同時にこれは、ご老人達にはより快適な上り降りが可能であるが、本発明の階段では、低いとは言え横側に落差ができるので、ここで足を踏み外す可能性も無いとは言えない。
そこで、図４の中央の部分と両端の部分については、老人等の専用階段としても良い。
【図面の簡単な説明】
【図１】  本発明の斜視図である。
【図２】  従来の発明の斜視図である。
【図３】  本発明の隣り合った階段の簡略図である。
【図４】  本発明を大きな階段に応用した鳥瞰図である。
【符号の説明】
１    踏面
２    蹴上
３    床
４    壁
５    Ｘ  Ｘ’危険箇所
６    Ａ―Ｂ―Ｃ―Ｄ―Ｅ・・・足跡
７    手すり
８    地面
９    壁
【図１】
2005076432.tif 000003
【図２】
2005076432.tif 000004
【図３】
2005076432.tif 000005
【図４】
2005076432.tif 000006